(57)【要約】【課題】無線システムのシステム容量を増大できる。【解決手段】宛先が他の無線装置であって、受信状況に関する情報を要求するための要求信号を受信する手段１２０と、干渉量を計測する計測手段１４０と、干渉量を通知するための通知信号の送信に使用するサブキャリアを、干渉量に応じて選択する手段１５０と、要求信号を受信してから第１期間が経過した後に、要求信号を送信した無線装置へ、選択されたサブキャリアを用いて通知信号を送信する手段１３０とを備えることを特徴とする無線装置。【選択図】  図３
2010171816.tif 000002
【特許請求の範囲】
【請求項１】
複数のサブキャリアを使用して通信を行う無線装置であって、
宛先が他の無線装置であって、受信状況に関するフィードバックを要求するための要求信号を受信する受信手段と、
前記要求信号の受信電力を計測する計測手段と、
前記計測された受信電力から、前記他の無線装置へ送信された前記要求信号による干渉について干渉情報を生成する生成手段と、
前記干渉情報を通知するための通知信号の送信に使用するサブキャリアを、前記干渉情報に応じて、選択する選択手段と、
前記要求信号を受信してから第１期間が経過した後に、前記要求信号を送信した無線装置へ、選択されたサブキャリアを用いて前記通知信号を送信する送信手段とを備えることを特徴とする無線装置。
【請求項２】
前記無線装置が前記通知信号を送信する期間と、
前記要求信号の宛先でなく前記要求信号を受信した第１無線装置が前記通知信号を送信する期間とが、重複することを特徴とする請求項１に記載の無線装置。
【請求項３】
前記無線装置が前記要求信号を受信してから前記通知信号を送信するまでの前記第１期間と、前記第１無線装置が前記要求信号を受信してから前記通知信号を送信するまでの１期間とが同一であることを特徴とする請求項２に記載の無線装置。
【請求項４】
前記第１期間には、前記要求信号の送信に要する期間と、前記要求信号の宛先である無線装置が前記要求信号に応じてフィードバックを行うのに要する期間とが含まれることを特徴とする請求項１乃至請求項３のいずれか１項に記載の無線装置。
【請求項５】
前記選択手段は、前記要求信号の受信電力が閾値以上であれば第１サブキャリアを選択し、前記要求信号の受信電力が閾値未満であれば第２サブキャリアを選択することを特徴とする請求項１に記載の無線装置。
【請求項６】
前記受信手段は、第１ビームパターンによって送信された前記要求信号と、第２ビームパターンによって送信された前記要求信号とを受信し、
前記計測手段は、前記要求信号の受信電力をビームパターンごとに計測し、
前記干渉情報は、ビームパターンごとの前記要求信号の受信電力を示す情報であって、
前記選択手段は、前記第１ビームパターンによって送信された前記要求信号の受信電力を通知するための第１通知信号の送信に使用する第１サブキャリアを選択するとともに、前記第２ビームパターンによって送信された前記要求信号の受信電力を通知するための第２通知信号の送信に使用する第２サブキャリアを選択し、
前記送信手段は、前記第１サブキャリアを用いて前記第１通知信号を送信するとともに、前記第２サブキャリアを用いて前記第２通知信号を送信することを特徴とする請求項１乃至請求項４のいずれか１項に記載の無線装置。
【請求項７】
前記送信手段は、
前記第１ビームパターンによって送信された前記要求信号の受信電力が閾値未満である場合に前記第１通知信号を送信せず、前記第１ビームパターンによって送信された前記要求信号の受信電力が閾値以上である場合に前記第１通知信号を送信し、
前記第２ビームパターンによって送信された前記要求信号の受信電力が閾値未満である場合に前記第２通知信号を送信せず、前記第２ビームパターンによって送信された前記要求信号の受信電力が閾値以上である場合に前記第２通知信号を送信することを特徴とする請求項６に記載の無線装置。
【請求項８】
複数のサブキャリアを使用して通信を行う無線装置であって、
第１無線装置へ、受信状況に関するフィードバックを要求するための要求信号をビームパターンを変えながら複数回送信する送信手段と、
前記第１無線装置からフィードバックを応答するための応答信号を受信する手段と、
前記第１無線装置以外の無線装置であって前記要求信号を受信した他の無線装置から、前記要求信号を送信することによって前記他の無線装置へ及ぼす干渉に関する情報を通知するための通知信号を複数のサブキャリアで受信する手段と、
前記通知信号のサブキャリアごとの受信電力、および前記応答信号に応じて、前記第１無線装置へデータを送信する際に用いるビームパターンを選択する選択手段とを備え、
前記送信手段は、前記選択手段によって選択されたビームパターンを用いて前記第１無線装置へデータを送信することを特徴とする無線装置。
【請求項９】
前記選択手段は、前記要求信号を送信する際に用いたビームパターンの中で、前記他の無線装置へ及ぼした干渉が閾値未満となったビームパターンのうち、前記応答信号で示される受信状況が最良の状態であるビームパターンを選択することを特徴とする請求項８に記載の無線装置。
【請求項１０】
前記選択手段は、前記要求信号を送信する際に用いたビームパターンの中で、前記応答信号で示される受信状況が所定条件以上に良いビームパターンのうち、前記他の無線装置へ及ぼした干渉が最小のビームパターンを選択することを特徴とする請求項８に記載の無線装置。
【請求項１１】
前記選択手段は、前記要求信号を送信する際に用いたビームパターンの中で、前記応答信号で示される受信状況が所定条件以上に良いビームパターンのうち、前記他の無線装置へ及ぼした干渉が最大のビームパターンを選択することを特徴とする請求項８に記載の無線装置。
【請求項１２】
複数のサブキャリアを使用して通信を行う無線装置の通信方法であって、
宛先が他の無線装置であって、受信状況に関するフィードバックを要求するための要求信号を受信し、
前記要求信号の受信電力を計測し、
前記計測された受信電力から、前記他の無線装置へ送信された前記要求信号による干渉について干渉情報を生成し、
前記干渉情報を通知するための通知信号の送信に使用するサブキャリアを、前記干渉情報に応じて、選択し、
前記要求信号を受信してから第１期間が経過した後に、前記要求信号を送信した無線装置へ、選択されたサブキャリアを用いて前記通知信号を送信することを特徴とする通信方法。
【請求項１３】
複数のサブキャリアを使用して通信を行う無線装置の通信方法であって、
第１無線装置へ、受信状況に関するフィードバックを要求するための要求信号をビームパターンを変えながら複数回送信し、
前記第１無線装置からフィードバックを応答するための応答信号を受信し、
前記第１無線装置以外の無線装置であって前記要求信号を受信した他の無線装置から、前記要求信号を送信することによって前記他の無線装置へ及ぼす干渉に関する情報を通知するための通知信号を複数のサブキャリアで受信し、
前記通知信号のサブキャリアごとの受信電力、および前記応答信号に応じて、前記第１無線装置へデータを送信する際に用いるビームパターンを選択し、
選択されたビームパターンを用いて前記第１無線装置へデータを送信することを特徴とする通信方法。
【発明の詳細な説明】
【技術分野】
【０００１】
本発明は、無線装置およびその方法に関するものである。
【背景技術】
【０００２】
無線システムのシステム容量を増大させるための技術として、ＳＤＭＡ（Ｓｐａｃｅ  Ｄｉｖｉｓｉｏｎ  Ｍｕｌｔｉｐｌｅ  Ａｃｃｅｓｓ）方式がある。ＳＤＭＡ方式では、各無線装置は、通信に使用するビームパターンを選択する。このビームパターンの選択方法によっては、無線システムのシステム容量が増大しないことがあった。そこで、各無線装置が、無線システム全体を考慮したうえで、通信に使用するビームパターンを選択する技術が開示されている（例えば、特許文献１）。
【０００３】
特許文献１に開示される技術では、干渉を受けた無線装置は、その干渉を及ぼした無線装置に対して、干渉を抑制するためのフィードバックを行う。しかしながら、周りに干渉の影響を与える無線装置が複数存在する場合に、フィードバックに要する時間が長くなるという問題がある。また、干渉を受ける複数の無線装置からのフィードバックを考慮したビームパターン選択処理が煩雑となるという問題がある。
【先行技術文献】
【特許文献】
【０００４】
【特許文献１】特開２００７−２６７２８１号公報
【発明の概要】
【発明が解決しようとする課題】
【０００５】
本発明は、上記を鑑みてなされたものであって、無線システムのシステム容量を増大できる無線装置およびその方法を提供することを目的とする。
【課題を解決するための手段】
【０００６】
上記目的を達成するために、本発明の一実施形態に係る無線装置は、複数のサブキャリアを使用して通信を行う無線装置であって、宛先が他の無線装置であって、受信状況に関するフィードバックを要求するための要求信号を受信する受信手段と、前記要求信号の受信電力を計測する計測手段と、前記計測された受信電力から、前記他の無線装置へ送信された前記要求信号による干渉について干渉情報を生成する生成手段と、前記干渉情報を通知するための通知信号の送信に使用するサブキャリアを、前記干渉情報に応じて、選択する選択手段と、前記要求信号を受信してから第１期間が経過した後に、前記要求信号を送信した無線装置へ、選択されたサブキャリアを用いて前記通知信号を送信する送信手段とを備えることを特徴とする。
【発明の効果】
【０００７】
本発明によれば、無線システムのシステム容量を増大できる。
【図面の簡単な説明】
【０００８】
【図１】本発明の第１の実施形態に係る無線システムを示す図。
【図２】本発明の第１の実施形態に係る無線装置Ａの構成を示すブロック図。
【図３】本発明の第１の実施形態に係る無線装置Ｃ、Ｄ、Ｅの構成を示すブロック図。
【図４】本発明の第１の実施形態に係る無線システムのシーケンス図。
【図５】干渉量の大きさに応じて各サブキャリアに割り当てられた通知信号を示す図。
【図６】ビームパターンに応じて各サブキャリアに割り当てられた通知信号を示す図。
【発明を実施するための形態】
【０００９】
以下、本発明の実施形態について説明する。
【００１０】
（第１の実施形態）
図１は、本発明の第１の実施形態に係る無線システムを示す図である。無線システムは、無線装置Ａ〜Ｅを有する。以下では、無線装置Ａが無線装置Ｂへデータを送信する場合を考える。
【００１１】
図２は、無線装置Ａの構成を示すブロック図である。
【００１２】
無線装置Ａは、アンテナ１０と、受信部２０と、送信部３０と、解析部４０と、記憶部５０と、送信制御部６０と、フレーム作成部７０とを備える。
【００１３】
受信部２０は、他の無線装置からアンテナ１０を介してフレームを受信する。
【００１４】
送信部３０は、他の無線装置へアンテナ１０を介してフレームを送信する。
【００１５】
解析部４０は、受信部２０で受信したフレームの内容を解析する。解析部４０は、自無線装置から送信するフレームが宛先の無線端末にいかに受信されるか（受信状況）について解析する。解析部４０は、自無線装置から送信するフレームが宛先の無線端末以外に及ぼす干渉について解析する。
【００１６】
記憶部５０は、解析部４０によって解析された情報を記憶する。記憶部５０は、自無線装置から送信するフレームが宛先の無線端末にいかに受信されるかに関する情報、例えば、宛先の無線装置におけるフレームの受信電力や、自無線装置と宛先の無線装置との間のチャネル情報、宛先の無線装置の受信能力などを記憶する。記憶部５０は、自無線装置から送信するフレームが宛先の無線端末以外に及ぼす干渉に関する情報、例えば、フレームを送信したときの宛先の無線端末以外における受信電力や、フレームを送信する際に用いるビームパターン（指向性を有する電波）ごとに、フレームを送信したときの宛先の無線端末以外における受信電力を記憶する。
【００１７】
送信制御部６０は、記憶部５０に記憶される情報を元に、フレームを送信する際に用いるビームパターンの選択を行う。
【００１８】
フレーム作成部７０は、上位層からの要求に応じてデータフレームを作成する。フレーム作成部７０は、宛先の無線装置へどのようなビームパターンでフレームを送信するかを決定するために、宛先の無線装置における受信状況に関するフィードバックを要求するための要求信号を作成する。
【００１９】
図３は、無線装置Ｃ〜Ｅの構成を示すブロック図である。
【００２０】
無線装置Ｃ〜Ｅは、アンテナ１１０と、受信部１２０と、送信部１３０と、計測部１４０と、干渉通知部１５０とを有する。
【００２１】
受信部１２０は、他の無線装置からアンテナ１１０を介してフレームを受信する。
【００２２】
送信部１３０は、他の無線装置へアンテナ１１０を介してフレームを送信する。
【００２３】
計測部１４０は、宛先が他の無線装置であって、受信状況に関するフィードバックを要求するための要求信号の受信電力（干渉量）を計測する。計測部１４０は、宛先が他の無線装置である要求信号を送信する際に用いられたビームパターンごとに、要求信号を受信したときの受信電力（干渉量）を計測する。
【００２４】
干渉通知部１５０は、計測部１４０によって計測された要求信号の受信電力を、要求信号の送信元である無線装置へ通知する。干渉通知部１５０は、計測部１４０によって計測された受信電力から、干渉情報を生成する。干渉情報とは、宛先が他の無線装置である要求信号を受信したときにおいて、受信状況に関するフィードバックを要求するための要求信号の受信電力についての情報であって、要求信号を送信する際に用いられたビームパターンごとに定められる。干渉通知部１５０は、干渉情報を要求信号の送信元である無線装置へ通知するための通知信号を生成する。干渉通知部１５０は、通知信の送信に使用するサブキャリアを、干渉情報に応じて選択する。干渉通知部１５０は、要求信号の受信電力に応じて、また、要求信号が送信されたビームパターンに応じて、サブキャリアを選択する。
【００２５】
図４は、無線装置Ａが無線装置Ｂへデータを送信する際の動作を示すシーケンス図である。
【００２６】
まず、無線装置Ａの上位層から、データの送信要求が発生する（ステップＳ１０１）。
【００２７】
次に、無線装置Ａのフレーム作成部７０は、データフレームの送信に用いるビームパターンを選択するための情報を取得するために、要求信号を作成する。要求信号とは、宛先の無線装置Ｂにおける受信状況に関するフィードバックを要求するための信号であればよく、例えばサウンディングフレームである。宛先の無線装置Ｂにおける受信状況とは、チャネル応答（チャネル行列）や、無線装置Ａから送信した信号（要求信号を含む）の受信電力、無線装置Ａからあるビームパターンを用いて送信した信号（要求信号を含む）の受信電力、キャパシティなどである。
【００２８】
［要求期間］
次に、無線装置Ａの送信制御部６０は、送信部３０を制御し、送信に用いるビームパターンを変えながら、無線装置Ｂへ、要求信号を連続して送信する。
【００２９】
次に、要求信号の宛先である無線装置Ｂと、要求信号の宛先でない無線装置Ｃ、Ｅとは、無線装置Ａからビームパターンごとに送信された要求信号を、受信する。無線装置Ｄは、無線装置Ａからビームパターンごとに送信された要求信号を受信しなかったとする。なお、無線装置Ｂ〜Ｅは、無指向で待機している。
【００３０】
［応答期間］
次に、無線装置Ｂは、無線装置Ａからビームパターンごとに送信された要求信号の受信電力を計測する（ステップＳ１０２）。
【００３１】
次に、無線装置Ｂは、ビームパターンごとに送信された要求信号のそれぞれの受信電力を記載した応答信号を、無線装置Ａへ返信する。応答信号には、要求信号が送信されたビームパターンのうち要求信号の受信電力、チャネル応答、あるいはキャパシティが最大となったビームパターンを記載してもよい。応答信号には、要求信号が送信されたビームパターンのうち要求信号の受信電力チャネル応答、あるいはキャパシティが予め定めた閾値以上となったビームパターンを記載してもよい。応答信号には、要求信号が送信されたビームパターンのうち要求信号の受信電力、チャネル応答、あるいはキャパシティが予め定めた閾値以上となったビームパターンを受信電力の大きい順に並べたものを記載してもよい。
【００３２】
［通知期間］
一方、無線装置Ｃ、Ｅの計測部１４０は、無線装置Ａからビームパターンごとに送信された要求信号の受信電力（干渉量）を計測する（ステップＳ１０３）。
【００３３】
次に、無線装置Ｃ、Ｅは、要求信号を受信してから所定期間が経過した後、無線装置Ａが無線装置Ｂへ送信した要求信号によって生じた干渉に関する情報（以下、干渉情報と呼ぶ）を通知するための通知信号を、無線装置Ａへ送信する。以下、無線装置Ｃ、Ｅが通知信号を送信する方法の詳細について説明する。
【００３４】
無線装置Ｃ、Ｅの受信部１２０は要求信号を受信する。無線装置Ｃ、Ｅの計測部１４０は、無線装置Ａから各ビームパターンで送信された要求信号の受信電力（干渉量）を計測する。無線装置Ｃ、Ｅの干渉通知部１５０は、計測部１４０の計測結果を元に、干渉量を示す通知信号をビームパターンごとに作成する。無線装置Ｃ、Ｅの干渉通知部１５０は、各通知信号によって示される干渉量の大小に応じて、当該通知信号を送信するために使用するサブキャリアを選択する。無線装置Ｃ、Ｅの干渉通知部１５０は、送信部１３０を制御し、要求信号を受信してから所定期間が経過した後予め定められたタイミングで、ビームパターンごとに作成した通知信号を、選択したサブキャリアを用いて、無指向の電波で連続して送信する。同一のビームパターンに係る通知信号を送信するタイミングは、無線装置Ｃと無線装置Ｅとで同一である。
【００３５】
以下に、無線装置Ｃ、Ｅの干渉通知部１５０がサブキャリアを選択する方法について説明する。図５（ａ）は、無線装置Ｃが選択したサブキャリアを示す図である。図５（ｂ）は、無線装置Ｅが選択したサブキャリアを示す図である。図５（ｃ）は、無線装置Ａが受信する通知信号を示す図である。図５（ａ）、（ｂ）、（ｃ）では、実際に信号の送受信がなされているサブキャリアを実線で示し、信号の送受信がなされていないサブキャリアを破線で示す。
【００３６】
無線装置Ｃ、Ｅの干渉通知部１５０は、無線装置Ａからあるビームパターンで送信された要求信号の受信電力（干渉量）の大きさに応じて、通知信号の送信に用いるサブキャリアを選択する。
【００３７】
無線装置Ｃ、Ｅの干渉通知部１５０は、干渉量が第１閾値未満である場合には第１サブキャリアを選択する。無線装置Ｃ、Ｅの干渉通知部１５０は、干渉量が第１閾値以上であり第２閾値未満である場合には第２サブキャリアを選択する。無線装置Ｃ、Ｅの干渉通知部１５０は、干渉量が第２閾値以上であり第３閾値未満である場合には第３サブキャリアを選択する。無線装置Ｃ、Ｅの干渉通知部１５０は、干渉量が第３閾値以上であり第４閾値未満である場合には第４サブキャリアを選択する。無線装置Ｃ、Ｅの干渉通知部１５０は、干渉量が第４閾値以上であり第５閾値未満である場合には第５サブキャリアを選択する。無線装置Ｃ、Ｅの干渉通知部１５０は、干渉量が第５閾値以上であり第６閾値未満である場合には第６サブキャリアを選択する。無線装置Ｃ、Ｅの干渉通知部１５０は、干渉量が第６閾値以上であり第７閾値未満である場合には第７サブキャリアを選択する。無線装置Ｃ、Ｅの干渉通知部１５０は、干渉量が第７閾値以上である場合には第８サブキャリアを選択する。
【００３８】
図５（ａ）に示すように、無線装置Ｃは、要求信号の受信電力（干渉量）が第２閾値以上であり第３閾値未満である場合には第３サブキャリアを選択する。図５（ｂ）に示すように、無線装置Ｅは、要求信号の受信電力（干渉量）が第６閾値以上であり第７閾値未満である場合には第７サブキャリアを選択する。
【００３９】
図５（ｃ）に示すように、無線装置Ａは、無線装置Ｃから送信された要求信号と、無線装置Ｅから送信された要求信号とをあわせて受信する。無線装置Ｃ、Ｅは、選択したサブキャリアをもちいて、所定の送信電力で、要求信号を送信する。無線装置Ａと無線装置Ｃとの距離は短いため、無線装置Ｃから送信された要求信号の受信電力は大きい。一方、無線装置Ａと無線装置Ｅとの距離は長いため、無線装置Ｅから送信された要求信号の受信電力は小さい。
【００４０】
無線装置Ａは、他の無線装置（ここでは、無線装置Ｃ、Ｅ）から送信された要求信号の各サブキャリアの受信電力から、周囲の端末の干渉量を把握することがきる。無線装置Ａは、いずれの無線装置がどの程度の干渉を受けているのかを把握するのではなく、周囲の無線装置合計でどの程度の干渉を受けているのかを把握する。
【００４１】
無線装置Ａ〜Ｅの一連のやり取りは、図４で示すように、［要求期間］無線装置Ａが各ビームパターンを用いて要求信号を無線装置Ｂへ送信する、［応答期間］無線装置Ｂが各ビームパターンに係る要求信号の受信電力が記載された応答信号を無線装置Ａへ返信する、［通知期間］無線装置Ｃ、Ｅがビームパターンごとの干渉量を通知するための通知信号を無線装置Ａへ送信する、となっている。
【００４２】
しかし、［要求期間］無線装置Ａが１つのビームパターンを用いて要求信号を無線装置Ｂへ送信する、［応答期間］無線装置Ｂが１つのビームパターンに係る要求信号の受信電力が記載された応答信号を無線装置Ａへ返信する、［通知期間］無線装置Ｃ、Ｅが１つのビームパターンによる干渉量を通知するための通知信号を無線装置Ａへ送信する、というルーチンをビームパターン数だけ繰り返しても良い。
【００４３】
また、［要求期間］無線装置Ａが１つのビームパターンを用いて要求信号を無線装置Ｂへ送信する、［応答期間］無線装置Ｂが１つのビームパターンに係る要求信号の受信電力が記載された応答信号を無線装置Ａへ返信する、というルーチンをビームパターン数だけ繰り返し、［通知期間］無線装置Ｃ、Ｅがビームパターンごとの干渉量を通知するための通知信号を無線装置Ａへ送信する、としても良い。
【００４４】
［通信期間］
無線装置Ａの受信部２０は、無線装置Ｂから応答信号を受信し、無線装置Ｃ、Ｅから通知信号を受信する。無線装置Ａの解析部４０は、受信した信号から、無線装置Ｂにおける受信状況に関する情報や、無線装置Ｃ、Ｅに与える干渉に係る情報を解析する。無線装置Ａの解析部４０は、応答信号に記載された内容や、通知信号に記載された内容、通知信号がいずれのサブキャリアで送信されたか、通知信号の各サブキャリアにおける受信電力などを用いて解析する。無線装置Ａの記憶部５０は、解析部４０によって解析された情報を記憶する。無線装置Ａの送信制御部６０は、記憶部５０に記憶された情報を元に、データの送信に使用するビームパターンを選択する（ステップＳ１０４）。
【００４５】
無線装置Ａの送信制御部６０は、要求信号の送信に使用したビームパターンの中で、無線装置Ｂにおける要求信号の受信電力が閾値以上であるビームパターンのうち、周囲の無線装置へ与える干渉量が最も少ないビームパターンを選択する。
【００４６】
周囲の無線装置へ与える干渉量は、各サブキャリア１〜８の受信電力と、各サブキャリア１〜８に定められた重み付け値とを、それぞれ掛け合わせて、総和をとることによって求められる。例えば、図５（ｃ）において、第１サブキャリアの重み付け値を最小の値とし、第８サブキャリアの重み付け値を最大の値として、サブキャリアの番号が大きくなるにつれて大きな重み付け値を設定する。これらの重み付け値と、各サブキャリアでの受信電力とを、それぞれ掛け合わせて、総和をとることによって干渉量を算出する。
【００４７】
無線装置Ａの送信制御部６０は、要求信号の送信に使用したビームパターンの中で、周囲の無線装置へ与える干渉量が閾値以下であるビームパターンのうち、無線装置Ｂにおける要求信号の受信電力が最大であるビームパターンを選択しても良い。
【００４８】
無線装置Ａの送信制御部６０は、要求信号の送信に使用したビームパターンの中で、無線装置Ｂにおける要求信号の受信電力が閾値以上であるビームパターンのうち、各サブキャリアの重み付け値を同一の値（例えば、“１”）とした干渉量の合計値が一番小さいビームパターンを選択しても良い。このように選択をすると、干渉を与える端末数を最小に出来るという利点がある。このとき、干渉量は、各サブキャリアの受信電力の総和から求められる。
【００４９】
無線装置Ａの送信制御部６０は、上記選択方法に限らず、要求信号の送信に使用したビームパターンの中で、無線装置Ｂにおける要求信号の受信電力が所望の閾値以上であるビームパターンが１つしか存在しない場合、周囲の無線装置へ与える干渉量に関わらず、その１つのビームパターンを選択する。
【００５０】
無線装置Ａが要求信号を送信する際に用いるビームパターンによっては、周囲に存在する無線装置（例えば、無線装置Ｄ）が、要求信号をまったく受信しないことがある。この場合、無線装置Ａが要求信号をビームパターンごとに送信するタイミング、及び各ビームパターンに対して通知信号を送信するタイミングを予め決めておけば、無線装置Dは、要求信号を受信しないときに何ら信号を送信しないことで、干渉量“０”を無線装置Aへ通知することと等価となる。
【００５１】
このように、第１の実施形態に係る無線装置によれば、無線装置Ａからの要求信号を受信してから予め定められたタイミングで、無線装置Ｃ、Ｅが干渉量に応じたサブキャリアによって干渉量を通知するための通知信号を送信することで、周囲に存在する無線装置へ与える干渉を低減させるようなビームパターンの選択を可能とする。そのため、無線システム全体のシステム容量（無線システム全体のスループットの合計）を向上させることができる。
【００５２】
データの送信側である無線装置Ａから送信された要求信号に対して、データの受信側である無線装置Ｂが応答信号を返信したあと、データの送受信に関わらない無線装置Ｃ、Ｅが同時に通知信号を送信することで、ＳＤＭＡでデータを送信する無線装置Ａの周囲に存在する無線装置の台数が増えた場合であっても、無線装置Ａと、それら周囲に存在する無線装置との間で干渉に関する情報のやり取りを少なくすることができ、オーバーヘッドを減少させることができる。
【００５３】
上記第１の実施形態では、無線装置Ｃ、Ｅの干渉通知部１５０は、無線装置Ａから各ビームパターンで送信された要求信号の受信電力（干渉量）の大きさに応じて、通知信号の送信に用いるサブキャリアを選択するものとした。
【００５４】
しかし、無線装置Ｃ、Ｅの干渉通知部１５０は、無線装置Ａから要求信号が送信される際に用いられたビームパターンに応じて、通知信号の送信に用いるサブキャリアを選択することとしても良い。
【００５５】
図６は、無線装置Ｃ、Ｅが送信する通知信号の一例を示す図である。なお、ここでは、無線装置Ａは、８つのビームパターン（第１番〜第８番のビームパターン）によって、要求信号を送信したものとする。
【００５６】
無線装置Ｃ、Ｅの干渉通知部１５０は、無線装置Ａから第１番〜第８番のビームパターンで送信された要求信号の受信電力（干渉量）を通知するための通知信号を、第１〜第８サブキャリアによって無線装置Ａへ送信する。
【００５７】
無線装置Ｃ、Ｅは、無線装置Ａから第１番〜第８番のビームパターンで送信された要求信号の受信電力（干渉量）の大きさに応じて、通知信号を送信する際の送信電力を決定する。
【００５８】
なお、無線装置Ａが要求信号を送信する際に用いる各ビームパターンと、無線装置Ｃ、Ｅが通知信号を送信するサブキャリアとの対応関係は、予め定められている。また、無線装置Ｃ、Ｅが受けた干渉量の大きさと、通知信号を送信する際の送信電力との関係も、予め定められている。無線装置Ｃ、Ｅは、干渉量が大きいほど、通知信号を送信する際の送信電力を大きくする。
【００５９】
無線装置Ｃ、Ｅは、無線装置Ａから各ビームパターンで送信された要求信号のうち、その受信電力が閾値以上である要求信号による干渉量のみを、無線装置Ａへ送信しても良い。この場合、無線装置Ｃ、Ｅは、要求信号の受信電力が閾値未満であるビームパターンに対応するサブキャリアでは、通知信号を送信しない。
【００６０】
上記第１の実施形態では、データの受信側である無線装置Ｂは、無指向で待機していた。
【００６１】
しかし、無線装置Ｂは、指向性を持って待機しても良い。無線装置Ｂは、無線装置Ａから送信された要求信号を、全ビームパターンで受信することで最適なビームパターンを選択できる。
【００６２】
また、無線装置Ｂは、要求信号を送信することで、無線装置Ａや、周知の無線装置Ｃ〜Ｅの干渉情報を取得し、これらの情報を元に最適なビームパターンを選択しても良い。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６４】
Ａ、Ｂ、Ｃ、Ｄ、Ｅ・・・無線装置
１０、１１０・・・アンテナ
２０、１２０・・・受信部
３０、１３０・・・送信部
４０・・・解析部
５０・・・記憶部
６０・・・送信制御部
７０・・・フレーム作成部
１４０・・・計測部
１５０・・・干渉通知部
【図１】
2010171816.tif 000003
【図２】
2010171816.tif 000004
【図３】
2010171816.tif 000005
【図４】
2010171816.tif 000006
【図５】
2010171816.tif 000007
【図６】
2010171816.tif 000008